(57)【要約】【課題】  画像品質を低下させることなく、容易に組み立てることができる画像表示装置およびその組み立て方法を提供する。【解決手段】  拡散板４１は、矩形板状の本体部４１０と、本体部４１０の主面に平行で外方に突出する拡散板突起部４１１とからなる。拡散板突起部４１１は、本体部４１０を厚み方向Ｚに見た矩形の４辺を成す全ての周縁部に設けられる。光学シート４０は、シート本体部４００を厚み方向Ｚに見た矩形の４辺のうち、互いに平行な２辺を成す縁部にシート突起部４０１が設けられる。このとき、２枚の光学シート４０ａ，４０ｂのうち、たとえば、光学シート４０ａには、シート本体部４００ａの２つの長辺を成す縁部にシート突起部４０１ａが設けられ、光学シート４０ｂには、シート本体部４００ｂの２つの短辺を成す縁部にシート突起部４０１ｂが設けられる。【選択図】      図３
2012033415.tif 000002
【特許請求の範囲】
【請求項１】
液晶素子を有し、前記液晶素子によって画像を一方面側に表示するための液晶パネルと、
前記液晶パネルよりも他方面側に配置される基台と、
前記基台に設けられ、前記液晶パネルに他方面側から光を照射する光源と、
前記光源と前記液晶パネルとの間に設けられ、前記光源から出射した光を拡散させる拡散板であって、矩形板状の本体部と、前記本体部を厚み方向に見た矩形の４辺において、本体部の主面に平行で外方に突出する拡散板突起部とを有する拡散板と、
前記拡散板と前記液晶パネルとの間に設けられ、前記拡散板を透過した光の光学特性を変更する複数の光学シートであって、矩形薄板状の第１シート本体部と、前記第１シート本体部を厚み方向に見た矩形の４辺のうち、互いに平行な２つの長辺のみにおいて、前記第１シート本体部の主面に平行で外方に突出する第１シート突起部とを有する第１光学シートと、矩形薄板状の第２シート本体部と、前記第２シート本体部を厚み方向に見た矩形の４辺のうち、互いに平行な２つの短辺のみにおいて、前記第２シート本体部の主面に平行で外方に突出する第２シート突起部とを有する第２光学シートと、を含む光学シートと、
前記液晶パネル、前記拡散板および前記光学シートを、それぞれの面方向外方から接触して保持する、枠体状の固定構造体であって、内周面に開口した、前記拡散板突起部および前記シート突起部が嵌合される嵌合孔が設けられる固定構造体とを含むことを特徴とする画像表示装置。
【請求項２】
前記拡散板突起部および前記シート突起部は、突出方向の両端部がテーパ状に設けられていることを特徴とする請求項１記載の画像表示装置。
【請求項３】
前記第１光学シートは、前記第２光学シートよりも、前記液晶パネル側に設けられることを特徴とする請求項１または２記載の画像表示装置。
【請求項４】
前記第１光学シートおよび前記第２光学シートの前記第１シート突起部および前記第２シート突起部の少なくともいずれかは、互いに平行な２辺において、非対称な位置に設けることを特徴とする請求項１〜３のいずれか１つに記載の画像表示装置。
【請求項５】
前記固定構造体は、複数の固定部材からなることを特徴とする請求項１〜４のいずれか１つに記載の画像表示装置。
【請求項６】
前記光学シートは、さらに矩形薄板状の第３シート本体部と、前記第３シート本体部を厚み方向に見た矩形の４辺のうち、互いに平行な２つの長辺のみにおいて、前記第３シート本体部の主面に平行で外方に突出する第３シート突起部とを有する第３光学シートをさらに含み、
前記第１光学シートの前記第１シート突起部は、２つの辺の長手方向一方側の領域にのみ設けられ、前記第３光学シートの前記第３シート突起部は、２つの辺の長手方向他方側の領域にのみ設けられ、前記第１光学シートと前記第３光学シートとは回転対称となるように構成されることを特徴とする請求項１〜５のいずれか１つに記載の画像表示装置。
【請求項７】
請求項１〜６のいずれか１つに記載の画像表示装置を組み立てる組み立て方法であって、
前記拡散板を前記固定構造体に設置する第１工程と、
前記第２シート本体部を長辺中央部で湾曲させた状態で、設置された前記拡散板の表面に前記第２シート突起部を接触させ、前記第２シート本体部の湾曲状態を、平坦状態に復帰させるとともに、前記第２シート突起部を前記固定構造体の嵌合孔に嵌合させる第２工程と、
前記第１シート本体部を短辺中央部で湾曲させた状態で、設置された前記第２光学シートの表面に前記第１シート突起部を接触させ、前記第１シート本体部の湾曲状態を、平坦状態に復帰させるとともに、前記第１シート突起部を前記固定構造体の嵌合孔に嵌合させる第３工程と、
前記液晶パネルを前記固定構造体に設置する第４工程とを含むことを特徴とする画像表示装置の組み立て方法。
【請求項８】
前記第２工程および第３工程では、前記第１シート本体部および前記第２シート本体部の下面側にシャフトを設置して前記シャフトに前記第１光学シートおよび前記第２光学シートを湾曲状態とし、その後前記シャフトを下降させるとともに、前記シャフトを延在方向に引き抜くことによって前記第１シート突起部および前記第２シート突起部を前記嵌合孔に嵌合させることを特徴とする請求項７記載の画像表示装置の組み立て方法。
【発明の詳細な説明】
【技術分野】
【０００１】
本発明は、光源からの光を拡散する拡散板と光学シートとを備える画像表示装置およびその組み立て方法に関する。
【背景技術】
【０００２】
液晶表示装置などの画像表示装置は、表示画像の画質向上のために、表示パネルと光源との間に拡散板、光学シートなどを重ね合わせ、光源から表示パネルに照射される光を制御している。
【０００３】
特許文献１記載の表示装置は、拡散板および光学シートを含み、拡散板および光学シートの外周辺にそれぞれ突起が設けられる。
【０００４】
特許文献２記載の表示装置は、光源ユニット、複数の光学シートおよびモールドフレームを含み、光学シートは、メイン本体部および外郭方向に突出したシートガイド部を含む。モールドフレームは、光学シートのシートガイド部が収納されるシートガイド溝が設けられている。
【先行技術文献】
【特許文献】
【０００５】
【特許文献１】特開２００６−２４４８３号公報
【特許文献２】特開２００８−１０３３３４号公報
【発明の概要】
【発明が解決しようとする課題】
【０００６】
拡散板および光学シートは、樹脂製であるため、光源から発生する熱によって膨張、変形しやすい。そのため、拡散板および光学シートは、枠体に固定部材を用いて固定するのではなく、特許文献１，２に記載されるように突起部を設け、枠体に設けた孔に突起部を嵌合させることで、拡散板および光学シートを枠体に保持している。
【０００７】
特に、表示面側から見た枠体およびベゼルの幅を限りなく小さくした表示装置では、突起部の突出長さを短くする必要があるため、突起部によって拡散板および光学シートを枠体に保持するためには、拡散板および光学シートの本体部の外郭寸法と、枠体の内周面の寸法とは高精度に一致させる必要がある。
【０００８】
特許文献１記載の表示装置のように、拡散板および光学シートの４辺に、突起部を設けた場合、表示装置の組み立てが困難となる。枠体に設けられた孔に、光学シートの突起を嵌合させようとすると、光学シートを変形させて全ての突起部を孔に嵌合させる作業が必要になるが、４辺に設けられた突起部を嵌合させる作業は困難である。また、拡散板と光学シートとを重ね合わせた状態で、これらをスライドさせて枠体の孔に、拡散板の突起部と光学シートの突起部とを嵌合させようとすると、拡散板は重く、光学シートは軽いために突起部を同時に嵌合させることも困難である。
【０００９】
本発明の目的は、画像品質を低下させることなく、容易に組み立てることができる画像表示装置およびその組み立て方法を提供することである。
【課題を解決するための手段】
【００１０】
本発明は、液晶素子を有し、前記液晶素子によって画像を一方面側に表示するための液晶パネルと、
前記液晶パネルよりも他方面側に配置される基台と、
前記基台に設けられ、前記液晶パネルに他方面側から光を照射する光源と、
前記光源と前記液晶パネルとの間に設けられ、前記光源から出射した光を拡散させる拡散板であって、矩形板状の本体部と、前記本体部を厚み方向に見た矩形の４辺において、本体部の主面に平行で外方に突出する拡散板突起部とを有する拡散板と、
前記拡散板と前記液晶パネルとの間に設けられ、前記拡散板を透過した光の光学特性を変更する複数の光学シートであって、矩形薄板状の第１シート本体部と、前記第１シート本体部を厚み方向に見た矩形の４辺のうち、互いに平行な２つの長辺のみにおいて、前記第１シート本体部の主面に平行で外方に突出する第１シート突起部とを有する第１光学シートと、矩形薄板状の第２シート本体部と、前記第２シート本体部を厚み方向に見た矩形の４辺のうち、互いに平行な２つの短辺のみにおいて、前記第２シート本体部の主面に平行で外方に突出する第２シート突起部とを有する第２光学シートと、を含む光学シートと、
前記液晶パネル、前記拡散板および前記光学シートを、それぞれの面方向外方から接触して保持する、枠体状の固定構造体であって、内周面に開口した、前記拡散板突起部および前記シート突起部が嵌合される嵌合孔が設けられる固定構造体とを含むことを特徴とする画像表示装置である。
【００１１】
また本発明は、前記拡散板突起部および前記シート突起部は、突出方向の両端部がテーパ状に設けられていることを特徴とする。
【００１２】
また本発明は、前記第１光学シートは、前記第２光学シートよりも、前記液晶パネル側に設けられることを特徴とする。
【００１３】
また本発明は、前記第１光学シートおよび前記第２光学シートの前記第１シート突起部および前記第２シート突起部の少なくともいずれかは、互いに平行な２辺において、非対称な位置に設けることを特徴とする。
【００１４】
また本発明は、前記固定構造体は、複数の固定部材からなることを特徴とする。
また本発明は、前記光学シートは、さらに矩形薄板状の第３シート本体部と、前記第３シート本体部を厚み方向に見た矩形の４辺のうち、互いに平行な２つの長辺のみにおいて、前記第３シート本体部の主面に平行で外方に突出する第３シート突起部とを有する第３光学シートをさらに含み、
前記第１光学シートの前記第１シート突起部は、２つの辺の長手方向一方側の領域にのみ設けられ、前記第３光学シートの前記第３シート突起部は、２つの辺の長手方向他方側の領域にのみ設けられ、前記第１光学シートと前記第３光学シートとは回転対称となるように構成されることを特徴とする。
【００１５】
また本発明は、前記画像表示装置を組み立てる組み立て方法であって、
前記拡散板を前記固定構造体に設置する第１工程と、
前記第２シート本体部を長辺中央部で湾曲させた状態で、設置された前記拡散板の表面に前記第２シート突起部を接触させ、前記第２シート本体部の湾曲状態を、平坦状態に復帰させるとともに、前記第２シート突起部を前記固定構造体の嵌合孔に嵌合させる第２工程と、
前記第１シート本体部を短辺中央部で湾曲させた状態で、設置された前記第２光学シートの表面に前記第１シート突起部を接触させ、前記第１シート本体部の湾曲状態を、平坦状態に復帰させるとともに、前記第１シート突起部を前記固定構造体の嵌合孔に嵌合させる第３工程と、
前記液晶パネルを前記固定構造体に設置する第４工程とを含むことを特徴とする画像表示装置の組み立て方法である。
【００１６】
また本発明は、前記第２工程および第３工程では、前記第１シート本体部および前記第２シート本体部の下面側にシャフトを設置して前記シャフトに前記第１光学シートおよび前記第２光学シートを湾曲状態とし、その後前記シャフトを下降させるとともに、前記シャフトを延在方向に引き抜くことによって前記第１シート突起部および前記第２シート突起部を前記嵌合孔に嵌合させることを特徴とする。
【発明の効果】
【００１７】
本発明によれば、拡散板は、前記光源と前記液晶パネルとの間に設けられ、前記光源から出射した光を拡散させる。また拡散板は、矩形板状の本体部と、前記本体部を厚み方向に見た矩形の４辺において、本体部の主面に平行で外方に突出する拡散板突起部とを有する。
【００１８】
光学シートは、前記拡散板と前記液晶パネルとの間に設けられ、前記拡散板を透過した光の光学特性を変更する。第１光学シートは、矩形薄板状の第１シート本体部と、前記第１シート本体部を厚み方向に見た矩形の４辺のうち、互いに平行な２つの長辺のみにおいて、前記第１シート本体部の主面に平行で外方に突出する第１シート突起部とを有する。第２光学シートは、矩形薄板状の第２シート本体部と、前記第２シート本体部を厚み方向に見た矩形の４辺のうち、互いに平行な２つの短辺のみにおいて、前記第２シート本体部の主面に平行で外方に突出する第２シート突起部とを有する。枠体状の固定構造体は、内周面に開口し、前記拡散板突起部および前記シート突起部が嵌合される嵌合孔が設けられる。
【００１９】
これにより、第１光学シートおよび第２光学シートは、シート突起部が設けられない辺の中央部において湾曲状態としたのち、これを平坦状態に復帰させるとともに第１シート突起部および第２シート突起部を嵌合孔に嵌合させることができる。
【００２０】
また、第１シート突起部および第２シート突起部が、拡散板突起部とともに嵌合孔に嵌合されるので、拡散板のみを透過した光が照射されることもないので、輝度むらも発生しない。
【００２１】
以上より、画像品質を低下させることなく、画像表示装置を容易に組み立てることができる。
【００２２】
また本発明によれば、前記拡散板突起部および前記シート突起部は、突出方向の両端部がテーパ状に設けられるので、嵌合孔に嵌合させるときに接触して変形や欠けが発生することを防止することができる。
【００２３】
また本発明によれば、前記第１光学シートは、前記第２光学シートよりも、前記液晶パネル側に設けられる。
【００２４】
前記第１光学シートは、長辺にシート突起部が設けられていることから、使用状態での撓みが小さくなり、液晶パネルとの接触も防止できる。
【００２５】
また本発明によれば、前記第１光学シートおよび前記第２光学シートの前記第１シート突起部および前記第２シート突起部の少なくともいずれかは、互いに平行な２辺において、非対称な位置に設けられる。
【００２６】
光学シートは、裏面と表面とで表面状態が異なる場合があり、このような場合、設置する向きが予め決まっている。シート突起部を非対称な位置とすることで、表裏を間違えて設置する作業ミスを防止することができる。
【００２７】
また本発明によれば、前記固定構造体は、複数の固定部材からなる。たとえば、拡散板は、固定構造体の一部の固定部材を分離した状態で設置することができる。
【００２８】
また本発明によれば、前記第１光学シートの前記第１シート突起部は、２つの辺の長手方向一方側の領域にのみ設けられ、前記第３光学シートの前記第３シート突起部は、２つの辺の長手方向他方側の領域にのみ設けられる。また、前記第１光学シートと前記第３光学シートとは回転対称となるように構成される。
【００２９】
実質的に第１光学シートと第３光学シートとは同じものであり、１８０°回転させた状態で使用することができる。
【００３０】
また本発明によれば、第２工程では、前記第２シート本体部を長辺中央部で湾曲させた状態で、設置された前記拡散板の表面に前記第２シート突起部を接触させ、前記第２シート本体部の湾曲状態を、平坦状態に復帰させるとともに、前記第２シート突起部を前記固定構造体の嵌合孔に嵌合させる。また、第３工程では、前記第１シート本体部を短辺中央部で湾曲させた状態で、設置された前記第２光学シートの表面に前記第１シート突起部を接触させ、前記第１シート本体部の湾曲状態を、平坦状態に復帰させるとともに、前記第１シート突起部を前記固定構造体の嵌合孔に嵌合させる。
【００３１】
これにより、画像品質を低下させることなく、画像表示装置を容易に組み立てることができる。
【００３２】
前記第２工程および第３工程では、前記第１シート本体部および前記第２シート本体部の下面側にシャフトを設置して前記シャフトに前記第１光学シートおよび前記第２光学シートを湾曲状態とし、その後前記シャフトを下降させるとともに、前記シャフトを延在方向に引き抜くことによって前記第１シート突起部および前記第２シート突起部を前記嵌合孔に嵌合させる。
これにより、作業者を必要とせず、組み立て工程を容易に自動化できる。
【図面の簡単な説明】
【００３３】
【図１】本発明の実施形態である画像表示装置１０の断面図である。
【図２】画像表示装置１０の構成を表す分解斜視図である。
【図３】光学シート４０および拡散板４１の平面図である。
【図４】変位阻止部材２１の構成を示す外観図である。
【図５】拡散板４１の設置手順を示す図である。
【図６】光学シート４０の設置手順を示す図である。
【図７】光学シート４０ａの他の実施形態を示す平面図である。
【図８】３枚以上の光学シートを用いる他の実施形態における２枚の光学シート４０ａを示す平面図である。
【図９】テーパ４０５ａを設けたシート突起部４０１ａの例を示す図である。
【発明を実施するための形態】
【００３４】
図１は、本発明の実施形態である画像表示装置１０の断面図である。図１では、後述する光源およびランプホルダは、省略している。図２は、画像表示装置１０の構成を表す分解斜視図である。
【００３５】
画像表示装置１０は、本実施形態では液晶パネル１１を備えており、画像を表示する液晶表示装置である。画像表示装置１０は、液晶パネル１１と、シャーシ１２と、固定構造体１３と、枠部１６と、連結部材１７と、光学シート４０と、拡散板４１とを含んで構成される。
【００３６】
第１実施形態において、画像表示装置１０は、テレビジョン受像機またはパーソナルコンピュータなどにおいて、画像情報を出力することによって、画像を表示画面に表示する装置である。表示画面は、液晶素子を有する液晶パネル１１によって形成され、液晶パネル１１は、平板状の形状に形成される。液晶パネル１１において、厚み方向Ｚの２つの向きを前面側Ｚ１および背面側Ｚ２とする。
【００３７】
液晶パネル１１は、液晶素子を有し、液晶素子によって、画像を一方面１８側に表示する。シャーシ１２は、液晶パネル１１の固定に用いられる基台であり、液晶パネル１１よりも他方面１９側に配置される。一方面１８側は、前面側Ｚ１であって、他方面１９側は、背面側Ｚ２である。
【００３８】
固定構造体１３は、液晶パネル１１の固定を補助する複数の部材から成り、分割可能に構成されることが好ましい。固定構造体１３は、１または複数の変位阻止部材２１を含んで構成され、変位阻止部材２１は、対向部２２と、接触部２４とを有する。対向部２２は、液晶パネル１１を厚み方向Ｚに見たときの液晶パネル１１の外縁部の少なくとも一部に、他方面１９側から対向する。接触部２４は、外縁部に対して液晶パネル１１の面方向外方から接触する。枠部１６は、液晶パネル１１の外縁部に一方面１８側から対向し、固定構造体１３とともに外縁部を挟持する。これによって、液晶パネル１１は、枠部１６に対して一方面１８側への相対的な変位が阻止される。連結部材１７は、変位阻止部材２１をシャーシ１２に連結する。
【００３９】
液晶パネル１１は、長方形の板状に形成され、変位阻止部材２１は、液晶パネル１１の外縁部の少なくとも一辺を成す部分に液晶パネル１１の面方向外方から接触する。したがって、変位阻止部材２１を、一辺を成す部分に設ける場合には、変位阻止部材２１を、他の３つの辺において固定構造体１３を成す部材とは、分離可能に構成することができる。
【００４０】
変位阻止部材２１が液晶パネル１１の面方向外方から接触する、前記少なくとも一辺を成す部分は、液晶パネル１１の短辺を成す一対の端部２６のうちの一方を含む。
【００４１】
変位阻止部材２１は、シャーシ１２に係合する係合部を有し、シャーシ１２は、係合部に係合される被係合部を有する。係合部が被係合部に係合し、連結部材１７によるシャーシ１２と変位阻止部材２１との連結が解除された状態では、接触部２４は、被係合部を支点として、シャーシ１２に対して揺動変位可能である。また接触部２４は、揺動変位することによって液晶パネル１１に対して近接および離隔する。
【００４２】
連結部材１７は、ねじ部材で構成され、変位阻止部材２１に螺合することによって、変位阻止部材２１をシャーシ１２に連結する。またねじ部材は、変位阻止部材２１に対する角変位に伴って、変位阻止部材２１に対して進退する。変位阻止部材２１の接触部２４は、ねじ部材が変位阻止部材２１に対して進退することによって、揺動変位する。
【００４３】
画像表示装置１０は画像を、前面側Ｚ１から見て視認可能に表示する。画像表示装置１０において、液晶パネル１１と平行に配置される平板状の部品については、「前面側」（Ｚ１）および「背面側」（Ｚ２）の用語を、液晶パネル１１を基準としたときと同じ向きを意味するものとして用いる。画像表示装置１０において、液晶パネル１１の周囲を面方向外方から囲繞する枠部１６は、いわゆる狭額縁化されている。たとえば、マルチディスプレイシステムに用いる場合には、複数の画像表示装置１０を一方向に沿ってまたはマトリクス状に配置する。このとき、互いに隣接する画像表示装置１０の境目に当たる部分、すなわち枠部１６は画像が表示されない非表示部分となる。マルチディスプレイにおいて、互いに隣接する画像表示装置１０に表示される画像は、本来連続する画像であるが、枠部１６のＺ方向から見た幅が大きいと、非表示部分の幅が大きくなってしまう。マルチディスプレイシステムに用いるような画像表示装置１０では、非表示部分の幅をなるべく小さくするために、枠部１６の幅を小さくする狭額縁化が求められる。第１実施形態において画像表示装置１０は、液晶パネル１１の対角線が６０インチで、縦横比率が９対１６の狭額縁化された液晶表示装置とした。
【００４４】
画像表示装置１０は、液晶パネル１１よりも背面側に配置される複数の光源３２を含んで構成され、複数の光源３２は、シャーシ１２に取付けられる。光源３２から出射された光は、拡散板４１、光学シート４０を通過し、さらに液晶パネル１１を介して画像表示装置１０よりも前面側に放射され、画像表示を行う表示光として使用される。光源３２としては、たとえば蛍光管、ＬＥＤ（Light Emitting Diode）などの各種発光部材を用いることができる。枠部１６は、液晶パネル１１、シャーシ１２、固定構造体１３、連結部材１７および光源３２を収容する筐体の一部を成す。
【００４５】
第１実施形態において筐体は、枠部１６と、枠部１６とともに筐体を成す背面側部材とを有する。枠部１６は、前面側Ｚ１からみて液晶パネル１１の面方向外方に延在して配置され、枠部１６単独で、または背面側部材とともに内部空間を規定する。
【００４６】
画像表示装置１０を、前面側Ｚ１から見て、枠部１６および液晶パネル１１は長方形に形成される。この長方形は、画像表示装置１０が画像を表示するときの通常の姿勢において、縦長に配置されても横長に配置されても構わないけれども、第１実施形態では横長に載置される。枠部１６は、厚み方向Ｚに垂直な平板状部分３６と、液晶パネル１１をその面方向外方から囲繞する外周部３７とを含む。平板状部分３６は、固定構造体１３とともに液晶パネル１１を挟持する。
【００４７】
液晶パネル１１は、２枚の基板１１ａを含み、厚み方向Ｚに見て長方形の板状に形成される。液晶パネル１１は、ＴＦＴ（Thin Film Transistor）等のスイッチング素子を含み、２枚の基板１１ａの隙間には液晶が注入されている。液晶表示パネルは、背面側の光源３２からの光がバックライトとして照射されることによって、表示機能を発揮する。前記２枚の基板１１ａには、液晶パネル１１における画素の駆動制御用のドライバー（ソースドライバー）、種々の素子および配線が設けられている。
【００４８】
固定構造体１３は、液晶パネル１１よりも背面側、かつシャーシ１２よりも前面側に配置され、シャーシ１２に取付けられる。固定構造体１３の構造の詳細については、後述する。固定構造体１３とシャーシ１２との間には、光学シート４０、拡散板４１、ランプホルダ４２、光源３２、および反射シート４３が配置される。光源３２は、たとえば、複数本の蛍光管３８を含み、蛍光管３８は、ランプホルダ４２によってシャーシ１２に取付けられる。蛍光管３８よりも前面側には、拡散板４１が配置され、拡散板４１の前面側には光学シート４０が配置される。拡散板４１および光学シート４０は、液晶パネル１１に平行に配置される。
【００４９】
拡散板４１は、蛍光管３８から発せられた光を、面方向に拡散することによって、輝度が局所的に偏ることを防止する。光学シート４０は、複数の光学シートで構成され、本実施形態では、２枚の光学シート４０ａおよび光学シート４０ｂで構成される。光学シート４０は、表示画質を向上させるための種々の機能が付与された機能性樹脂シートからなる。たとえば、拡散板４１を介して背面側から到達した光の進行の向きを、前面側に向ける機能を有する。拡散板４１では、輝度が面方向に偏ることを防ぐために、光の進行方向は、ベクトル成分として、面方向の成分を多く含む。これに対し光学シート４０は、面方向のベクトル成分を多く含む光の進行方向を、厚み方向Ｚの成分を多く含む光の進行方向に変換する。具体的には、光学シート４０は、レンズまたはプリズム状に形成される部分が面方向に多数並んで形成され、これによって、厚み方向Ｚに進行する光の拡散度を小さくする。したがって、画像表示装置１０による表示において、輝度を上昇させることができる。
【００５０】
シャーシ１２は、厚み方向Ｚに垂直な平板状の底部３９と、底部３９に連なり底部３９から立ち上がる側壁部４４と、側壁部４４のうち底部３９が連なる部分とは反対側の部分に連なり底部３９と平行に広がる平板状のフランジ部４５とを含んで形成される。底部３９は、厚み方向Ｚに見て長方形に形成される。側壁部４４は、底部３９のうち短辺を成す２つの端部２６と、長辺を成す２つの端部２７とから前面側に立ち上がって形成される。これによって、平板状の側壁部４４が底部３９の周囲に４つ、形成される。
【００５１】
各側壁部４４は、短冊形に形成され、底部３９の厚み方向Ｚに平行である。側壁部４４のうち、最も前面側の端部には、フランジ部４５が連なる。フランジ部４５は、厚み方向Ｚに見て、底部３９よりも面方向外方に広がって形成される。フランジ部４５は、底部３９の厚み方向Ｚに垂直な細長い短冊形に形成される。これによって、フランジ部４５は、側壁部４４と同様に４つ、形成される。したがって、４つのフランジ部４５は、厚み方向Ｚに見て長方形に形成される。「垂直」は、理想的な垂直および略垂直の両方を含み、「平行」は、理想的な平行および略平行の両方を含む。
【００５２】
液晶パネル１１、シャーシ１２の底部３９、光学シート４０および拡散板４１はいずれも液晶パネル１１の厚み方向Ｚに見て長方形に形成され、それぞれの長辺方向Ｘは互いに平行であり、それぞれの短辺方向Ｙも互いに平行である。
【００５３】
第１実施形態では、フランジ部４５のうち、側壁部４４が連なる端部とは反対側の、底部３９に関して面方向外方に位置する端部から、さらに前面側に突出する襟部４６が形成される。襟部４６は、厚み方向Ｚに平行な短冊形の形状に形成される。また襟部４６は、４つのフランジ部４５のうち、３つのフランジ部４５に対応して形成される。第１実施形態では、襟部４６は、短辺を成す２つのフランジ部４５のうちの１つと、長辺を成す２つのフランジ部４５とに対応して形成される。短辺を成す２つのフランジ部４５のうち他の１つには、襟部４６は設けられていない。
【００５４】
反射シート４３は、底部３９の前面側の表面の少なくとも一部と、フランジ部４５とに接触して配置される。反射シート４３は、側壁部４４に対しては接触して配置されてもよく、また接触せず配置されてもよい。反射シート４３の少なくとも前面側に臨む表面は、光源３２からの光に対して高い反射率、理想的には１００％の反射率を有する。
【００５５】
蛍光管３８は、底部３９および底部３９の前面側に配置された反射シート４３に対し、前面側から近接して複数配置される。各蛍光管３８は、底部３９の長辺方向Ｘに長く延びて設置される。ランプホルダ４２は、複数の蛍光管３８に対し、これらの長手方向両端部をシャーシ１２に対して固定する。蛍光管３８の長手方向一方に配置されるランプホルダ４２と、長手方向他方に配置されるランプホルダ４２とは、大略的にはそれぞれ直方体に形成され、直方体のうち前面側に臨む表面は、厚み方向Ｚに垂直に配置される。
【００５６】
各ランプホルダ４２は、側壁部４４よりも内側に配置され、各ランプホルダ４２の前面側に臨む表面は、フランジ部４５の前面側に臨む表面とともに一平面内に配置され、これらの表面に、拡散板４１の外縁部が接触して配置される。液晶パネル１１、固定構造体１３、光学シート４０、拡散板４１、ランプホルダ４２、蛍光管３８、反射シート４３およびシャーシ１２は、枠部の外周部３７よりも液晶パネル１１に関する面方向内方に配置される。
【００５７】
第１実施形態では、固定構造体１３は、変位阻止部材２１と、シャーシ１２に対して嵌合して固定される嵌合固定部材４８とを含む。嵌合固定部材４８は、少なくともシャーシ１２の襟部４６に嵌合して固定される。第１実施形態では、嵌合固定部材４８は、襟部４６が挿入される凹溝４９が形成される嵌合部５１と、嵌合部５１に連なりフランジ部４５の前面側を覆う平坦部５２と、シャーシ１２の側壁部４４を内周面側から覆う内側部５４とを含む。
【００５８】
嵌合部５１の前面側には、前面側に臨み、液晶パネル１１の外縁部に対向する対向部２２と、対向部２２よりも面方向外方において前面側に突出し、液晶パネル１１に面方向外方から接触する接触部２４とが形成される。この対向部２２は、液晶パネル１１の外縁部を枠部１６の平板状部分３６とともに挟持する部分である。したがって、対向部２２は、液晶パネル１１の外縁部に確実に対向する必要があり、また対向部２２は、可及的に細く設定すれば細く設定するほど、狭額縁化の実現を容易にすることができる。
【００５９】
液晶パネル１１の各辺を成す端部に接触する対向部２２について、厚み方向Ｚおよび各辺の両方に垂直な方向における対向部２２の寸法を、「幅寸法」と称する。画像表示装置１０の一例として、たとえば６０インチの画像表示装置１０の場合、液晶パネル１１のうち画像の表示領域は、およそ長辺方向Ｘの寸法が１３３ｃｍで、短辺方向Ｙの寸法がおよそ７５ｃｍである。この場合において対向部２２の幅寸法は、３ｍｍ程度に設定される。
【００６０】
嵌合固定部材４８は、襟部４６を有する３つの辺に対応して長方形のうち３つの辺を成す形状に、一体的に形成される。したがって、内側部５４の前面側の端部は、平坦部５２の面方向内方の端部に連なって形成される。内側部５４は、液晶パネル１１の厚み方向Ｚに平行な３つの平板状の部分を含み、各平板状の部分には、１または複数の貫通孔５３が形成される。この貫通孔５３には、ねじ部材によって実現される連結部材１７が、各平板状の部分に垂直に挿入される。
【００６１】
変位阻止部材２１は、４つのフランジ部４５のうち、襟部４６が設けられていない部分に対応して設けられる。したがって、変位阻止部材２１は、長方形を成す４つの辺のうち１つの辺を成して形成される。変位阻止部材２１は、フランジ部４５の一部を支点として角変位可能に設けられる。襟部４６が設けられていないフランジ部４５には、変位阻止部材２１が角変位するときに支点となる部分が形成される。具体的には、１つまたは複数の位置に凹部５６が形成され、変位阻止部材２１の一部がこれに係合する。
【００６２】
変位阻止部材２１は、フランジ部４５の前面側を覆い、フランジ部４５のうち角変位の支点となる部位に接触する支点接触部５７と、支点接触部５７に連なり、シャーシ１２の側壁部４４を内周面側から覆い、シャーシ１２に対して連結部材１７によって連結される被連結部５８と、平坦部５２から前面側に立ち上がる形状に形成される角変位部６２とを含む。
【００６３】
支点接触部５７は、シャーシ１２の底部３９と平行な平板状の平板状部分５９と、平板状部分５９から背面側に突出する突出部６３とから構成される。突出部６３は、フランジ部４５に形成される凹部５６に係合する係合部であり、フランジ部４５に形成される凹部５６は、変位阻止部材２１に形成される突出部６３に係合される被係合部である。これによって変位阻止部材２１は、フランジ部４５の凹部５６を支点として、揺動可能である。
【００６４】
変位阻止部材２１において、被連結部５８は、液晶パネル１１の厚み方向Ｚに平行に形成され、支点接触部５７のうち、液晶パネル１１に関する面方向内方の端部に連なり、背面側に延びて形成される。被連結部５８には凹所が形成され、凹所には雌ねじが形成される。凹所は、被連結部５８を貫通することなく形成される。これによって、光が被連結部５８を通過してしまうことを防止する。
【００６５】
角変位部６２と被連結部５８は、液晶パネル１１の厚み方向Ｚに平行に形成され、支点接触部５７のうち、液晶パネル１１に関する面方向外方の端部に連なり、前面側に延びて形成される。角変位部６２の前面側には、前面側に臨み、液晶パネル１１の外縁部に対向する対向部２２と、対向部２２よりも面方向外方において前面側に突出し、液晶パネル１１に面方向外方から接触する接触部２４とが形成される。変位阻止部材２１の対向部２２も、液晶パネル１１の外縁部を枠部１６の平板状部分３６とともに挟持する部分である。したがって、対向部２２は、液晶パネル１１の外縁部に確実に対向する必要があり、また対向部２２は、可及的に細く設定すれば細く設定するほど、狭額縁化の実現を容易にすることができる。
【００６６】
液晶パネル１１の厚み方向Ｚにおいて、接触部２４の寸法は、液晶パネル１１の厚み寸法に対してほぼ同一に、かつわずかに小さく設定される。これによって、枠部１６の平板状部材が液晶パネル１１の外縁部の前面側から接触し、対向部２２とともに液晶パネル１１を挟持するときに、液晶パネル１１が厚み方向Ｚにがたつくことを防止することができる。
【００６７】
光学シート４０は、矩形薄板状のシート本体部４００と、シート本体部４００の主面に平行な方向で外方に突出するシート突起部４０１とからなる。本実施形態では、光学シート４０は、光学シート４０ａおよび光学シート４０ｂの２枚の光学シートからなる。図３は、光学シート４０ａ，４０ｂおよび拡散板４１の平面図である。図３（ａ）は、光学シート４０ａの平面図であり、図３（ｂ）は、光学シート４０ｂの平面図であり、図３（ｃ）は、拡散板４１の平面図である。
【００６８】
光学シート４０ａは、矩形薄板状のシート本体部４００ａと、シート本体部４００ａの主面に平行な方向で外方に突出するシート突起部４０１ａとからなり、光学シート４０ｂは、矩形薄板状のシート本体部４００ｂと、シート本体部４００ｂの主面に平行な方向で外方に突出するシート突起部４０１ｂとからなる。
【００６９】
拡散板４１は、矩形板状の本体部４１０と、本体部４１０の主面に平行で外方に突出する拡散板突起部４１１とからなる。拡散板突起部４１１は、本体部４１０を厚み方向Ｚに見た矩形の４辺を成す全ての周縁部に設けられる。
【００７０】
これに対して、光学シート４０は、シート本体部４００を厚み方向Ｚに見た矩形の４辺のうち、互いに平行な２辺を成す縁部にシート突起部４０１が設けられる。このとき、２枚の光学シート４０ａ，４０ｂのうち、たとえば、光学シート４０ａには、シート本体部４００ａの２つの長辺を成す縁部にシート突起部４０１ａが設けられ、光学シート４０ｂには、シート本体部４００ｂの２つの短辺を成す縁部にシート突起部４０１ｂが設けられる。
【００７１】
拡散板突起部４１１と、光学シート４０のシート突起部４０１とは、拡散板４１と光学シート４０とが重ね合わされた状態で厚み方向Ｚに対向する位置に設けられる。また、拡散板突起部４１１の形状と、光学シート４０のシート突起部４０１の形状とは、略同一に形成され、光学シート４０のシート突起部４０１の大きさと拡散板突起部４１１の大きさとは、略同一かまたは、光学シート４０のシート突起部４０１の大きさのほうがわずかに大きく形成される。
【００７２】
光源３２から照射される光は、拡散板４１の本体部４１０のみならず拡散板突起部４１１にも入射し、拡散板４１の前面側に通過する。光学シート４０は、拡散板４１よりも厚み方向前面側に配置されるので、シート突起部４０１が、拡散板突起部４１１に対向する位置に存在しなかった場合、拡散板突起部４１１を通過した光は、シート突起部４０１を通過することなく、液晶パネル１１に照射される。したがって、液晶パネル１１に照射される光には、拡散板４１と光学シート４０の両方を通過した光と、拡散板４１のみを通過した光とがあり、この２種類の照射光によって輝度むらが発生する。
【００７３】
拡散板４１の本体部４１０の４辺を成す周縁部全体に拡散板突起部４１１を設けた場合、光学シート４０も同様に、シート本体部４００の４辺を成す周縁部全体にシート突起部４０１を設けることが好ましい。しかしながら、光学シート４０の周縁部全体にシート突起部４０１を設けてしまうと、組み立て工程において、光学シート４０を設置することは困難となる。
【００７４】
光学シート４０および拡散板４１の固定構造体１３への設置は、シート突起部４０１および拡散板突起部４１１を、固定構造体１３に設けられた嵌合孔に嵌合させることで行う。
【００７５】
図４は、変位阻止部材２１の構成を示す外観図である。図４（ａ）は、変位阻止部材２１を内周側からみた図であり、図４（ｂ）は、切断面線Ａ−Ａからみた断面図である。詳細には、嵌合固定部材４８および変位阻止部材２１のそれぞれの内周面に開口する嵌合孔６０に、シート突起部４０１および拡散板突起部４１１を嵌合させる。固定構造体１３全体の内周全周にわたって嵌合孔６０が形成される。拡散板４１は、周縁部全体に設けられた拡散板突起部４１１が嵌合孔６０に嵌合され、抜け止めされることで固定構造体１３に保持される。光学シート４０ａは、２つの長辺を成す縁部に設けられたシート突起部４０１ａが嵌合孔６０に嵌合され、光学シート４０ｂは、２つの短辺を成す縁部に設けられたシート突起部４０１ｂが嵌合孔に嵌合され、抜け止めされることで固定構造体１３に保持される。
【００７６】
図５は、拡散板４１の設置手順を示す図である。図５（ａ）に示すように、嵌合固定部材４８を外方に開くように変形させて、拡散板４１の３辺を成す縁部に設けられた拡散板突起部４１１を嵌合固定部材４８に設けられた嵌合孔６０に嵌合させる。次に図５（ｂ）に示すように、拡散板４１の残りの１辺を成す縁部に設けられた拡散板突起部４１１を、変位阻止部材２１に設けられた嵌合孔６０に嵌合させる。最後に図５（ｃ）に示すように、変位阻止部材２１を連結部材１７でシャーシ１２にビス留めして拡散板４１の設置を終了する。この時点では、光学シート４０および液晶パネル１１は設置されていない。
【００７７】
次に光学シート４０を設定するときの手順について説明する。図６は、光学シート４０の設置手順を示す図である。
【００７８】
図５に示した手順で拡散板４１を設置した状態で、光学シート４０ｂを設置する。
光学シート４０ｂは、２つの短辺を成す縁部にのみシート突起部４０１ｂが設けられているので、シート突起部４０１ｂを嵌合孔６０に嵌合する作業においては、図６（ａ）に示すように、シート本体部４００ｂの長辺中央部で湾曲させた状態で、設置された拡散板４１の表面にシート突起部４０１ｂを接触させる。次に、シート本体部４００ｂの湾曲状態を、平坦状態に復帰させるとともに、シート突起部４０１ｂを本体部４１０の表面に沿って移動させることで、図６（ｂ）に示すように、容易にシート突起部４０１ｂを嵌合孔６０に嵌合させることができる。
【００７９】
このような手順で光学シート４０ｂを設置する。光学シート４０ｂが設置された状態で光学シート４０ａの設置を行う。光学シート４０ａは、２つの長辺を成す縁部にのみシート突起部４０１ａが設けられているので、シート突起部４０１ａを嵌合孔６０に嵌合する作業においては、図６（ｃ）に示すように、シート本体部４００ａの短辺中央部で湾曲させた状態で、設置された光学シート４０ｂの表面にシート突起部４０１ａを接触させる。次に、シート本体部４００ａの湾曲状態を、平坦状態に復帰させるとともに、シート突起部４０１ａをシート本体部４００ｂの表面に沿って移動させることで、図６（ｄ）に示すように、容易にシート突起部４０１ａを嵌合孔６０に嵌合させることができる。
【００８０】
さらに、図６（ａ）に示すように、シート本体部４００ｂを湾曲状態とするために、シート本体部４００ｂの下面側にシャフト８０ｂを設置し、シャフト８０ｂに光学シート４０ｂを載せた状態とする。その後シャフト８０ｂを下降させて、拡散板４１に近づけるとともに、シャフト８０ｂを延在方向に引き抜くことによってシート突起部４０１ｂを嵌合孔６０に嵌合させることができる。
【００８１】
これと同様に、図６（ｃ）に示すように、シート本体部４００ａを湾曲状態とするために、シート本体部４００ａの下面側にシャフト８０ａを設置し、シャフト８０ａに光学シート４０ｂを載せた状態とする。その後シャフト８０ａを下降させて、光学シート４０ｂに近づけるとともに、シャフト８０ａを延在方向に引き抜くことによってシート突起部４０１ａを嵌合孔６０に嵌合させることができる。
【００８２】
なお、設置手順において、シャフト８０ａ，８０ｂの使用は必須ではなく、光学シート４０に対して互いに反する２方向から外力を付与し、シート本体部４００を上に凸の湾曲状態とすることができれば、他の部材を使用したり、作業者の手作業で行ってもよい。
【００８３】
図７は、光学シート４０ａの他の実施形態を示す平面図である。
上記の実施形態では、光学シート４０ａは、シート突起部４０１ａの設ける位置を２つの長辺において対称となる位置に設けている。ここで、光学シート４０は、表面と裏面とで異なる表面状態であり、設置する場合には、設置する面の向きが予め決まっている。したがって、シート突起部４０１の位置が対称である場合は、表裏を間違えて設置しようとしたときに、シート突起部４０１が、嵌合孔６０に嵌合できてしまうので、設置時に作業者が目視したり、表裏がわかるようなマーキングを施す必要がある。しかしながら、表裏を間違えて設置する作業ミスを防止することはできない。
【００８４】
そこで、本実施形態では、図７に示すように、シート突起部４０２ａを２つの長辺に設ける位置を非対称とする。非対称にシート突起部４０２ａを設けた場合、表裏を逆にして設置しようとしても、シート突起部４０２ａと嵌合孔６０との位置が一致しないので、設置することはできない。したがって、表裏を間違えて設置する作業ミスを防止することができる。
【００８５】
また、本発明の光学シート４０は、２枚に限らず３枚以上用いてもよい。このとき、上記の実施形態のように、少なくとも１枚の光学シートには、２つの長辺、または２つの短辺にシート突起部を設ける構成であればよく、たとえば、２枚の光学シートにおいて、２つの平行な辺にシート突起部を設けることは上記実施形態と同じであるが、設置する位置を一致させる必要はない。図８は、３枚以上の光学シートを用いる他の実施形態における２枚の光学シート４０ａを示す平面図である。
【００８６】
２枚の光学シート４０ａには、いずれも２つの長辺を成す縁部にシート突起部４０３ａ、４０４ａが設けられている。ここで、一方の光学シート４０ａには、２つの長辺を成す縁部の長手方向一方側の領域にのみシート突起部４０３ａを設けており、他方の光学シート４０ａには、２つの長辺を成す縁部の長手方向他方側の領域にのみシート突起部４０４ａを設けている。２枚の光学シート４０ａを重ね合わせた状態では、拡散板突起部４１１の全てと、２枚の光学シート４０ａのシート突起部４０３ａ，４０４ａとが対向するように構成される。本実施形態では、２枚の光学シート４０ａは、シート突起部４０３ａ，４０４ａの位置が回転対称となっている。したがって、これら２枚の光学シート４０ａは面方向の向きが１８０°異なっているだけで、実質的には同じ光学シート４０ａである。すなわち、１種類の光学シートを２枚準備し、一方を回転させることで２種の光学シートのように扱うことができる。
【００８７】
光学シートのシート突起部および拡散板の突起部の厚み方向から見た平面形状は、たとえば矩形状でもよいが、テーパを設けた矩形状であることが好ましい。図９は、テーパ４０５ａを設けたシート突起部４０１ａの例を示す図である。シート突起部４０１ａの突出方向両側にテーパ４０５ａを設ける。嵌合孔６０とシート突起部４０１ａとの間には、突出方向幅において、ほとんど間隙がないような寸法となっていることから、シート突起部４０１ａを嵌合孔６０に嵌合させる際に、シート突起部４０１ａが嵌合孔６０の周辺に接触してシート突起部４０１ａが割れたり、欠けたりするおそれがある。上記のようにテーパ４０５ａを設けることで、シート突起部４０１ａの嵌合孔６０との嵌合時に接触を避けられるとともに、嵌合後には、シート突起部４０１ａと嵌合孔６０との間の間隙も十分に小さくすることができる。
【符号の説明】
【００８８】
１０    画像表示装置
１１    液晶パネル
１１ａ  基板
１２    シャーシ
１３    固定構造体
２１    変位阻止部材
３２    光源
３８    蛍光管
３９    底部
４０，４０ａ，４０ｂ    光学シート
４１    拡散板
６０    嵌合孔
４００，４００ａ，４００ｂ  シート本体部
４０１，４０１ａ，４０１ｂ  シート突起部
４１０  本体部
４１１  拡散板突起部
【図１】
2012033415.tif 000003
【図２】
2012033415.tif 000004
【図３】
2012033415.tif 000005
【図４】
2012033415.tif 000006
【図５】
2012033415.tif 000007
【図６】
2012033415.tif 000008
【図７】
2012033415.tif 000009
【図８】
2012033415.tif 000010
【図９】
2012033415.tif 000011